(57)【特許請求の範囲】
【請求項１】
包丁擬似模型が包装され、且つ包装された包丁擬似模型が目視可能であり、包丁擬似模型は薄肉プラスチックで包丁の半面の形態に形成され、包丁疑似模型は切断機能を有しておらず、包丁疑似模型の刃部の棟、すなわち刃部の刃先と反対の側は包丁の刃部の棟全体の厚みを表わしており、包丁疑似模型の刃部の棟は、他方の半面方向に向かって外側に広がる傾斜面に形成され、包丁擬似模型は透明の薄肉プラスチックで形成され、その透明の薄肉プラスチックの裏面が着色されていることを特徴とする包丁の商品サンプル。
【発明の詳細な説明】
【技術分野】
【０００１】
本発明は、量販店などで陳列される包丁の包装入り商品サンプルに関する。
【背景技術】
【０００２】
量販店などで商品の包丁を陳列するための包装は存在する（例えば、特許文献１参照。）。
【特許文献１】特開２０００−１０９１５３号公報
【発明の開示】
【発明が解決しようとする課題】
【０００３】
本発明は包丁の包装入り商品サンプルであって、殺傷能力を有しない商品サンプルを陳列し店内等における安全性を高めることを課題とする。
【０００４】
近年、刃物を使った凶悪犯罪が増加し社会問題となっている。包丁などの刃物はその目的通り使用すれば問題ないが、包丁自体は十分な殺傷能力を持っている。従来、店内で販売のために陳列されている包丁は本物の包丁であって、包装から取り出されてすぐに凶器に早変わりすることが十分に考えられる。凶悪犯が包丁を持たずに店に入っても、店内に陳列されている包丁の包装から包丁を取り出して凶器に使用される虞がある。このような虞を回避するためにはいくつかの方法が考えられる。第一の方法は、包丁などの刃物の写真をカードに入れてそれを陳列する方法である。この方法は安全性がきわめて高い。しかし、写真のみでは商品の質感や重さなど商品選択に当たっての重要な要素を把握することができず、客に与える情報が少なすぎて実際的ではない。第二の方法は、ショーケースに商品を陳列してケースに鍵をかける方法である。多種類の実物商品を陳列することができて、写真よりも商品の様子を把握することはできる。しかし、客が商品を手に持って感触をつかもうとするときは、その都度店員を呼んでケースをあけなければならないから非常に手間がかかる。第三の方法は、従来と同じように包装箱等に包丁等を包装し、その包装した包丁を丈夫なプラスチックで形成された鍵付の商品カバーに入れて鍵をかけて陳列する。そして、客が代金を支払って購入するときに店員がその鍵を開錠して、中身の包装箱入り包丁を取り出す。この方法も安全性は高く、また包丁は既に包装されているので再包装の必要はない。しかし、商品販売の都度、店員が商品カバーの鍵を開錠することは従来の販売形態に比べてかなりの手間がかかって実際的でない。また、包装された包丁を陳列する前に商品カバーに入れて鍵をかけなければならないからこの作業も煩雑である。包丁の販売に関し、手間がかからず安全性を確保するためには、陳列されている包丁は殺傷能力を有しない擬似模型を使用し、客はその擬似模型を見て包丁を選んで店員に注文し、店員がその包丁を別室から取り寄せて客に手渡せばよい。そこで、本発明は、そのように手間がかからず安全が確保される商品サンプルを提供することを目的とする。
【課題を解決するための手段】
【０００５】
本発明の請求項１は、包丁擬似模型が包装され、且つ包装された包丁擬似模型が目視可能であり、包丁擬似模型は薄肉プラスチックで包丁の半面の形態に形成され、包丁疑似模型は切断機能を有しておらず、包丁疑似模型の刃部の棟、すなわち刃部の刃先と反対の側は包丁の刃部の棟全体の厚みを表わしており、包丁疑似模型の刃部の棟は、他方の半面方向に向かって外側に広がる傾斜面に形成され、包丁擬似模型は透明の薄肉プラスチックで形成され、その透明の薄肉プラスチックの裏面が着色されている構成である。
【発明の効果】
【０００６】
請求項１は、包丁擬似模型が包装され、且つ包装された包丁擬似模型が目視可能であり、包丁擬似模型は薄肉プラスチックで包丁の半面の形態に形成され、包丁疑似模型は切断機能を有しておらず、包丁疑似模型の刃部の棟、すなわち刃部の刃先と反対の側は包丁の刃部の棟全体の厚みを表わしており、包丁疑似模型の刃部の棟は、他方の半面方向に向かって外側に広がる傾斜面に形成され、包丁擬似模型は透明の薄肉プラスチックで形成され、その透明の薄肉プラスチックの裏面が着色されている。したがって、包装されている包丁擬似模型を包装から取り出しても切断機能を有していないから凶器に使用されることがない。また、包丁擬似模型は目視できるので、陳列されている商品サンプルを見て客は好みの包丁を選択することができる。また、商品サンプルは同じ商品について１つ陳列しておけばよいから場所をとらない。さらに、包丁の刃部の厚みが商品選択の重要な要素であり、客が刃部の厚みを知ることにより実際の包丁の重さを推測することができる。また、包丁擬似模型が透明の薄肉プラスチックで形成され、その透明の薄肉プラスチックの裏面が着色されている。したがって、表面は透明なプラスチックであるから光沢を有する。この場合、包丁擬似模型の刃が光沢を有する。本物の包丁の刃も金属製であって光沢を有するから、包丁擬似模型は本物と同じように見える。
【発明を実施するための最良の形態】
【０００７】
次に本発明を実施するための最良の形態について説明する。包丁擬似模型１は薄肉で透明なプラスチックで一体に形成されている。このプラスチックの厚みは２ｍｍ以下の薄肉であって、０．５ｍｍ程度が好ましい厚みである。図３に示すように包丁擬似模型１は包丁の半面全体が表われた立体的な形態に形成されている。図４に示すように刃部２の刃先縁３は鋭利でない。これは、薄肉プラスチックの包丁擬似模型といえども刃先縁３を鋭利にすると皮膚を切ることができるから、それを防止するためである。刃部２の棟４は、包丁半面の厚みでなくほぼ包丁全体の棟の厚みを表わしている。すなわち、包丁の半面よりも他方の半面方向にはみ出して、実際の商品の刃部の厚みを表示している。これは、包丁の刃部の厚みが商品選択の重要な要素であるからである。また、客が刃部２の厚みを知ることにより実際の包丁の重さを推測することができる。
【０００８】
図５及び図６に示すように、柄５も包丁半面の厚みでなく他方の半面方向にはみ出している。図６を見れば、柄５が包丁の中心にある刃部２から他方の半面方向にかなりはみ出していることが理解できる。これにより、包装箱６に包装された包丁擬似模型１の柄５が立体的になるので本物のように見える。なお、図５に示すように断面の開口を絞ったときは、金属や厚肉のプラスチックの射出成型の際に開口から金型を抜くことができないので射出成型ができない。しかし、本発明のように薄肉のプラスチックのように全体が柔軟であるときは射出成型することができるのである。また、柄５は種々の形態を有しており、柄５の表面のカーブの仕方などもそれぞれ異なっている。包丁擬似模型１の柄５が他方の半面方向にはみ出していることにより、柄５の表面の全体的な形態や表面のカーブの仕方などを客は容易に知ることができる。さらに、包丁擬似模型１は内部が空洞であるから、その空洞内に実際の重さを有する錘を入れることによって客は重量も把握することができる。したがって、客の商品選択に役立つことができる。柄５を中心で切った半面だけの形態では、柄全体の印象をつかみにくいのである。さらに、図１に示すように柄５の表面に金属色の円形シール７を貼着してもよい。これにより、柄５にリベットが取り付けられている包丁の包丁擬似模型にもなる。この実施形態では包丁擬似模型１の全体が包装箱６に包装されているが、本発明はこれに限定されるものではなく刃部２のみを包装し柄５は包装せずにそのまま露出するものであってもよい。この場合、客が柄を直接握ることによって柄が破損することも考えられるので、柄には補強材を取り付けてもよい。
【０００９】
次に、包丁擬似模型１の製造方法について説明する。まず、薄肉で透明な平板状のプラスチック板の裏面に包丁の原図を印刷する。本物の包丁の包丁擬似模型であるから、刃部２は主に銀色に印刷され、柄５は主に黒色や木目調に印刷される。多くの包丁は刃部に商標が刻印されているので、本発明は刃部２に恰も商標が刻印されているような印刷をして写実性を高めてもよい。平板状のプラスチック板を立体的な包丁の形に形成したときに適合するように印刷される。したがって、平面状の原図が包丁の形状を表わしてはいない。原図は印刷でなく他の着色方法であってもよい。次に、着色部分をブロー成型によって立体的に形成する。形成はブロー成型に限定されない。
【００１０】
図１に示すように、包装箱６は矩形に形成されている。また、包装箱６は透明の薄いプラスチックで組み立てられている。上端には吊り下げ片８が設けられ、それに吊り下げ孔９が設けられている。図２に示すように、包装箱６の側面を通して、包丁擬似模型１の刃部２が台紙１０に沿って置かれていることが見える。また、刃部２の棟４は台紙１０などに遮られることがないので、包装箱６の側面から刃部２の棟４を見ることができる。これにより、客はこの包丁擬似模型によって商品の刃部の厚みを知ることができるので、前述したように商品選択に役立てることができる。同様に、柄５も包装箱６の側面から見ることができるので、客は柄５の表面の印象などを把握できる。
【図面の簡単な説明】
【００１１】
【図１】商品サンプルの正面図
【図２】図１における左側面図
【図３】擬似模型の正面図
【図４】図３におけるＡ−Ａ断面図
【図５】図３におけるＢ−Ｂ断面図
【図６】図３における底面図
【符号の説明】
【００１２】
１  包丁擬似模型、    ２  刃部、    ３  刃先縁、    ４  棟、    ５  柄、
６  包装箱、    ７  シール、    ８  吊り下げ片、    ９  下げ孔、    １０  台紙
【図１】
0004791142.tif 000002
【図２】
0004791142.tif 000003
【図３】
0004791142.tif 000004
【図４】
0004791142.tif 000005
【図５】
0004791142.tif 000006
【図６】
0004791142.tif 000007